Podtech/llm-jp-corpus-v4-ja_patent huggingface dataset:
(57)【要約】      （修正有）【課題】多気筒内燃機関のシリンダーへの吸気入口前の吸気通路間に横断吸気通路１２と排気ガス再循環路が設けられた内燃機関の吸気装置を提供する。【解決手段】清浄空気を吸気通路に導くための接続部２，３と再循環排気ガスを導入するための接続フランジ４とが一体部材１に、好ましくはアルミニューム鋳造で形成され、一体部材が内燃機関、特にV型機関の各シリンダへの吸気入口に装着可能である内燃機関の吸気管装置である。【選択図】図１
2005307975.tif 000002
【特許請求の範囲】
【請求項１】
多気筒内燃機関のシリンダーへの吸気入口前の吸気通路間に横断吸気通路（１２）と排気ガス再循環路が設けられた内燃機関の吸気管装置において、
清浄空気を吸気通路に導くための接続部（２、３）と再循環排気ガスを導入するための接続フランジ（４）とが一体部材（１）に形成され、該一体部材が内燃機関の各シリンダへの吸気入口に装着可能であることを特徴とする内燃機関の吸気管装置。
【請求項２】
前記再循環排気ガスを導入するための接続フランジ（４）が各横断吸気通路（１２）中央部に装置され、再循環排気ガスの導入が前記吸気通路の別々の導入部に予め設定された対応する開口から行なわれるように構成されたことを特徴とする請求項１記載の吸気管装置。
【請求項３】
前記一体部材（１）が鋳造部品であることを特徴とする請求項１或は２に記載の吸気管装置。
【請求項４】
前記鋳造部品がアルミニューム鋳造品であることを特徴とする請求項３記載の吸気管装置。
【請求項５】
前記内燃機関が再循環排気ガスがシリンダヘッドの内側側面側に導入されるV型内燃機関であることを特徴とする内燃機関の吸気管装置。
【発明の詳細な説明】
【技術分野】
【０００１】
本発明は、多気筒内燃機関のシリンダーへの吸気入口前の吸気通路間にいわゆる横断吸気通路が設けられた、独立請求項に記載の上位概念による内燃機関用の吸気管装置に関する。
【背景技術】
【０００２】
特許文献１（ＤＥ  ２９８  １１  ４３２  Ｕ１）に、特に音響特性の向上のために互いに隣接して装置された吸気管を上記のように横断して連結することが開示されている。
【０００３】
さらに、今日ではおよそ自動車用内燃機関はすべて排気再循環装置を備えることが広く行き渡っている。というのは、排気ガス再循環は、益々厳しくなる排気ガス規制の限界値を遵守するためおよび技術的な点から有効な方法であるからである。例えば、今日では直接燃料噴射のガソリンおよびディーゼルエンジンは既にそのような排気ガス再循環装置を装着しているのが通常である。
【０００４】
例えば、特許文献２（ＤＥ  １９７  １７  ０４０  Ｃ１）に排気ガス再循環の配管が金属容器を介して内燃機関のシリンダヘッドフランジに取付けることが開示されている。
【０００５】
これを従来周知の吸気管装置と組み合わせるには構造的な問題がある。即ち、各取付けフランジに気密に取り付けるための多数の取付け面を有する多くの部品が必要となり、また、伝熱および再循環排気ガスを最適に配分するのに比較的高価で複雑で多くの労力を要する方法が必要となる。
【０００６】
【特許文献１】ＤＥ  ２９８  １１  ４３２  Ｕ１
【特許文献２】ＤＥ  １９７  １７  ０４０  Ｃ１
【発明の開示】
【発明が解決しようとする課題】
【０００７】
本発明の課題は、吸気通路間に設けられるいわゆる横断吸気通路に排気ガス再循環路が設けられる場合の内燃機関の吸気管装置を改善することである。
【課題を解決するための手段】
【０００８】
上記したような多気筒内燃機関のシリンダへの吸気入口前の吸気通路間に横断吸気通路と排気ガス再循環路が設けられた内燃機関用の本発明による吸気管装置は、清浄空気を吸気通路に導くための接続部と再循環排気ガスを導入するための接続フランジとを一体部材に形成し、該一体部材が内燃機関の各シリンダの吸気入口に装着可能であるように形成することによって有利に構成される。
【０００９】
本発明による吸気管装置の有利な実施形態によれば、再循環排気ガスを導入するための接続フランジは前記一体部材における各横断吸気通路の中央部に装置され、再循環排気ガスの導入は吸気通路の別々の導入部に予め設定された対応する開口から行なわれる。
【００１０】
前記一体部材は鋳造品、特にアルミニューム鋳造品であることが好ましい。要するに、本発明の吸気管装置によれば、部品点数を減少できる点、特に気密接合面を減じることができる点で有利であり、したがって、装置をより複雑でなく、より緩い公差で製作することができる。
【００１１】
再循環ガスの比較的高い温度は、比較的かさばった一体部材において、特にそれがアルミニューム鋳造品である場合、個々の構成要素の熱的接続により速やかに低下される。さらに、各吸気通路の再循環排気ガス導入部は構造的に容易に設定できる。これにより、再循環排気ガスの清浄空気との混合区間を容易に有利に設定でき、また、再循環排気ガスを容易に均等に配分して導入することができる。
【発明を実施するための最良の形態】
【００１２】
図１にはいわゆる横断吸気通路１２を有する吸気管装置の通路部材１が示されており、該部材１は図示しない内燃機関、特にV型機関の構成部品をなす。接続フランジ２、３を通って燃焼用の清浄空気が吸入され、排気ガスが接続フランジ４から入り前記部材１に一体に形成された通路５および６を通って前記部材１内部の図では見えない導入部から清浄空気に混合されて排気ガス再循環（EGR）が行なわれる。
前記部材１は前記横断通路１２に共に接合された接続フランジ７および８を介して、この場合適用されているV型機関のシリンダヘッドに連結される。図２には図１の前記部材１を反対側から見た場合が示されており、V型機関の前記部材１取付け部が示されている。
【００１３】
例えばアルミニューム鋳造品である一体型でかさばる部材１により、再循環排気ガスの冷却を促進するための排気ガス再循環用接続フランジ４と横断通路１２とのすぐれた熱的接続が保証され、さらに、清浄空気との混合区間を容易に確保することができる。本発明の吸気管装置では排気ガス再循環（EGR）路がシリンダヘッドに組み入れられることなく、この装置はあらゆる内燃機関に適用可能である。
【図面の簡単な説明】
【００１４】
本発明による内燃機関の吸気管装置の実施例は添付図面を参照して説明される。
【図１】横断吸気通路に排気ガス再循環路を一体化した一体構造部材の概略図である。
【図２】図１の一体構造部材の他の側から見た図で内燃機関に装着した状態を示す図である。
【図１】
2005307975.tif 000003
【図２】
2005307975.tif 000004
(57)【要約】【課題】  外観性を損なわないとともに、塗料を調達することなく容易に壁パネルの塗装の補修ができる塗料とその塗料を塗布した壁パネルを提供する。【解決手段】  塗料は、液相媒体及び樹脂を主成分とする塗料であって、該塗料と同色の塗料を内包するカプセルを混入する。壁パネルは、塗料をパネルへ塗布したものである。パネル４への色付けもしくは保護のための塗料２と、塗料２と同色塗料を包含されたカプセル３混入されたものを用いるので、壁パネル１にクラック等の傷が入った場合、該傷の発生部分のカプセル３が破裂して内包している前記塗料が出ることで該塗料が該クラック発生部分に埋まり補修されるものである。【選択図】図２
2005307057.tif 000002
【特許請求の範囲】
【請求項１】
液相媒体及び樹脂を主成分とする塗料であって、該塗料と同色の塗料を内包するカプセルを混入することを特徴とする塗料。
【請求項２】
請求項１記載の塗料において、前記カプセルは、常温硬化型の塗料が内包されていることを特徴とする塗料。
【請求項３】
請求項１または請求項２のいずれかに記載された塗料をパネルへ塗布したことを特徴とする壁パネル。
【発明の詳細な説明】
【技術分野】
【０００１】
本発明は、壁パネルにクラック等の傷が入った場合、外観性を損なわないと共に、塗料を調達することなく容易に壁パネルの塗装の補修できる塗料とその塗料を塗布した壁パネルに関するものである。
【背景技術】
【０００２】
従来、壁パネルにクラック等の傷が入った場合の壁の補修方法としては、特開平９−２２８６５０号公報に示すものがある。この方法は、図３（ａ）に示すように、コーナー外壁１０１のクラック発生部分１０３を補修する場合、図３（ｂ）から図３（ｅ）の工程を経て補修する方法である。具体的には、外壁部材１０２同士が１８０°未満の角度をもって接合されているコーナー外壁１０１の補修方法である。クラック発生部分１０３に接着剤１０４の下塗りを行う工程、粘着層１０５と弾性シール材とが一体に形成され、且つ、その粘着層１０５と弾性シール材との間に、粘着層１０５より幅が狭い流動層１０７が設けられた継目処理材１０６を、クラック発生部分１０３に跨がるようして貼り付ける工程、その継目処理材１０６と外壁部材１０２の外表面との段差部分をパテ材１０８にて埋める工程、少なくともそのパテ材１０８及び継目処理材１０６の外表面を塗料層１０９にて塗装する工程からなる。
【０００３】
ところで、最近、壁パネルの傷などを簡単に補修ができる壁パネルの要望が高まっている。しかし、上記の補修方法では、クラック発生部分を補修するために複数の工程を必要とするものであった。
【特許文献１】特開平９−２２８６５０号公報
【発明の開示】
【発明が解決しようとする課題】
【０００４】
本願発明は、上記背景技術に鑑みて発明されたものであり、その課題は、外観性を損なわないとともに、塗料を調達することなく容易に壁パネルの塗装の補修ができる壁パネルを提供することである。
【課題を解決するための手段】
【０００５】
上記課題を解決するために、本願発明は、液相媒体及び樹脂を主成分とする塗料において、該塗料と同色の塗料を内包するカプセルを混入するものであって、前記塗料をパネルへ塗布したものである。
【０００６】
また、前記カプセルは、常温硬化型の塗料を内包することが好ましい。
【発明の効果】
【０００７】
本願発明の補修方法と補修カプセルにおいて、カプセル内に柄付け時に塗膜と同色の塗料を内包させることにより、補修塗料を調達することなく、しかも、外観性をそこなうことなく壁パネルを補修することができる。
【発明を実施するための最良の形態】
【０００８】
図１は、請求項１から請求項３に対応した一実施形態の塗料２と壁パネル１である。このものは、図１に示すように、壁パネル１は、塗料２及び塗料２と同色の塗料を内包するカプセル３を混入したものを、色付けもしくは保護のためにパネル４に塗布したものである。
【０００９】
塗料２は、液相媒体（図示せず）及び樹脂（図示せず）を主成分とするものにカプセル３を加えたものである。
【００１０】
カプセル３の厚みは、例えば、５μｍ〜２０μｍであり、カプセルの粒径は６０μｍ〜３００μｍである。また、カプセル３に内包されている塗料は、例えば、アクリルウレタン系塗料を用いる。
【００１１】
図１（ａ）は、パネル４へ色づけのための塗料２を塗布し、更に、塗料２を保護するための透明なクリア塗料２ａを塗布したものである。そして、クリア塗料２ａには、塗料２と同色の塗料が内包されたカプセル３が混入されている。
【００１２】
また、図１（ｂ）は、パネル４が着色されている場合、例えば、白色のパネル４に、クリア塗料２ａを塗布したものである。この場合、クリア塗料２ａには、パネル４と同色である白色の塗料が内包されている。
【００１３】
次に、この壁パネル１に、クラック等の傷５が入った場合を図２に基づいて説明する。
【００１４】
図２（ａ）は、壁パネル１に略Ｖ字計の傷５が入った場合のものである。
【００１５】
この壁パネル１によれば、壁パネル１に傷５が入った場合、図２（ｂ）に示すように、カプセル３は、壁パネル１に傷が入るに伴い、カプセル３が破裂し、内包している塗料が出ることで、壁パネル１に入った傷５が埋まり、自己補修されるものである。
【００１６】
従って、カプセル３内に柄付け時に塗膜と同色の塗料を内包させることにより、補修塗料を調達することなく、しかも、外観性をそこなうことなく壁パネル１を補修することができる。
【００１７】
なお、カプセル３は、常温硬化型の塗料を内包すると良い。
【００１８】
なお、カプセル３に内包する塗料は、塗料２と同じものでも良い。
【図面の簡単な説明】
【００１９】
【図１】（ａ）本発明の第１の実施形態の壁パネルの断面図、（ｂ）同上のパネルが着色されている場合の断面図である。
【図２】（ａ）同上の壁パネルに傷が入った場合の断面図、（ｂ）は、同上の壁パネルの傷が補修された場合の断面図である。
【図３】従来のコーナー外壁の補修方法を工程の一例を示す断面図である。
【符号の説明】
【００２０】
１      壁パネル
２      塗料
３      カプセル
４      パネル
【図１】
2005307057.tif 000003
【図２】
2005307057.tif 000004
【図３】
2005307057.tif 000005
(57)【要約】【課題】  有害でコスト負担になる乳化剤などを要することなく、長期安定性が極めて高い水油混合液及びその製造手段を提供する。【解決手段】  水が油液中で可視光の波長以下の粒径に微粒子化しコロイド状に分散混合して成る相溶状水油混合液とする。またこれを製造するために、空気注入と２００Ｖ以上のプラス電位が付与される環境において油液中に水を混合する。またそのプラス電位をパルス状に付与させる。【特許請求の範囲】
【請求項１】
水が油液中で可視光の波長以下の粒径に微粒子化しコロイド状に分散混合して成ることを特徴とする相溶状水油混合液。
【請求項２】
空気注入と２００Ｖ以上のプラス電位が付与される環境において油液中に水を混合することを特徴とする相溶状水油混合液の製造法。
【請求項３】
パルス状にプラス電位が付与される、請求項２記載の相溶状水油混合液の製造法。
【発明の詳細な説明】
【技術分野】
【０００１】  この発明は、水と燃料油その他液状の油類との安定性のある相溶状水油混合液とその製造法に関する。
【背景技術】
【０００２】  水に溶けない油類と水とを混ぜて双方の成分から成る液体を作るために、界面活性剤を少量添加してミキシングし、乳濁状のいわゆるエマルジョンにする手段が広く知られており、主な例として１０〜３０％程度の水を混合したエマルジョン燃料などがある。これらに関する技術文献はあまりに多く、既に一般知識化しているものであるが、いずれも界面活性剤のような添加剤を要し、その態様も乳濁状であって、溶液状に透明化した言わば相溶状水油混合液のようなものは、未だ全く見当らないのが現状である。
【発明の開示】
【発明が解決しようとする課題】
【０００３】  上記のような公知の水油エマルジョンは、いずれも界面活性剤などの乳化用添加物を要し、かかる添加物が少なからず有害でコスト負担になるばかりか、乳濁状態を必ずしも永続的に維持できず、水油が分離したり変質しやすいなどの問題点があった。【０００４】  本発明はかかる問題点を解決した水油混合物及びその製造手段を提供することを課題とする。
【課題を解決するための手段】
【０００５】  本発明者は様々な考察と検証を重ねた結果、（液状の）油中に分散混合させる水粒の粒径が可視光の波長以下（３８０ｎｍ以下）になると透明化し、またその状態では液中液分散相であってもブラウン運動の作用が優位に働き、あたかも溶解したかのような極めて安定性の高い半永久的相溶状水油混合液となるものであって、しかもそれを容易に獲得する手段があることを見出し、本発明に至ったのである。【０００６】  すなわちそのような相溶状水油混合液の製造手段は、燃料油等の油と水を予め用意し、空気注入と２００Ｖ以上、望ましくは１０００Ｖ以上のプラス電位が付与される環境において油中に水を加えて混合するものである。【０００７】  ここで用いられる水は、そのクラスターが細かい方が容易に製造できる傾向があるが、通常の水道水であっても差し支えない。但し水の混合比率は全体のおよそ１０ないし１５％以下であることが望ましい。【０００８】  また空気注入手段は、水油混合物を容器に収めた場合はその下部より気泡を噴出させる方法でよい。これは同時にミキシング操作を兼ねることにもなる。【０００９】  プラス電位を付与するにはプラス電極を液中に挿入ないし浸漬すればよいわけであるが、その際、直流電源をパルス状にすると一層効果的であることが判明した。このように有利な条件にするほど、より低電圧で高率の水混合が可能となるが、必要に応じ若干の界面活性剤やシリカ微粒子コロイドなどの添加材を補助的に加えてもよい。
【発明の効果】
【００１０】  本発明の相溶状水油混合液は、在来のエマルジョンと異なり長期安定性がきわめて高く、ほとんど水溶液のように半永久的にその形態を維持させることができる。しかも乳化剤のような余分かつ有害な添加物を必要としないか或いは著しく低減させることができ、また水粒の周りを油液が完全に取り囲む状態で安定しているので、バーナーのノズルなど金属接触箇所を腐食させる憂いがないなどの効果がある。
【発明を実施するための最良の形態】
【００１１】  用いられる代表的な油はいわゆる軽油である。これに気泡と約６０００Ｖのパルス状プラス電位を与える環境のもとに、いわゆる「電子水」と称する水を約１０％加えた場合は甚だ良好な結果が得られる。
【実施例】
【００１２】  上面解放状の容器内に９容積部の軽油を収め、その底部に気泡噴出孔を多数設けた中空板を浸漬してコンプレッサーに接続し、１０００Ｖのパルス電荷を１〜２サイクル／秒で与える銅またはマグネシウムからなる棒状陽電極を挿入した。両者を作動させつつ水１容積部を徐々に注入したところ、１〜２分で白濁後に透明化し、完全な相溶状水油混合液が得られた。以後、自然放置は勿論のこと、遠心分離器にかけても全く分離変質などの兆しは見られなかった。
【産業上の利用可能性】
【００１３】  既に述べたように、本発明の相溶状水油混合液は甚だ安定性が高く、不純物が著しく少なくてコスト的にも有利であり、燃料としても燃焼効率を高め排煙を低減させる可能性が大であって製造も容易であるから、産業上の利用可能性は十分であるといえる。
(57)【要約】［目的］本発明は、重曹に、酸、糖、塩を加えることによって、発生する二酸化炭素を利用し、泡立ちの豊かな石鹸を作る。［構成］通常の石鹸に、適量の重曹を加え、それに、適量の酸、糖、塩、いずれかを加えることを特徴とする。【特許請求の範囲】
【請求項１】
通常の石鹸に、重曹を加え、更に、酸、糖、塩、いずれかを混合し含有することを特徴とした石鹸。
【発明の詳細な説明】
【発明の詳細な説明】
【０００１】  ［産業上の利用分野］
この発明は、通常の石鹸を水で濡らすだけで、泡立ちの豊かな石鹸に変わるということに関するものである。
【０００２】  ［従来の技術］
従来、石鹸は、水で濡らし手で揉んだだけでは、泡が豊かに出るということはなく、泡が出なければ、汚れが落ちないという原理から、泡を立たせるまで、とても苦労をしていた。
【０００３】  ［発明が解決しようとする課題］
石鹸は通常、泡を豊富に立たせて、その泡で顔や体を洗っていたが、その行為は手間がかかり、石鹸の豊かな泡で顔や体を洗うことは容易ではなかった。
本発明は以上の欠点を解決し利用するものである。
【０００４】  ［課題を解決するための手段］
通常の石鹸に、適量の重曹を加え、更に、酸、糖、塩、いずれかを混合する。
【０００５】  ［作用］
重曹に、酸、糖、塩のいずれかを混合し、それに水を加えることにより、二酸化炭素が発生し、そのことにより、豊富な泡が簡単に発生する。
【０００６】［発明の効果］
本発明を使用することにより、今まで石鹸の泡を立たせることに手間と苦労をかけていた行為が、簡単に解決される。
(57)【要約】【課題】  本発明は、固形石鹸の機能と泡立て用ネットの機能を一体化することにより、泡立て用ネットと固形石鹸の清潔な保管と操作性の向上を実現しようとするものである。【解決手段】  本発明は、固形石鹸の表面を泡立て用繊維で覆い包み、全体として一個の石鹸とすることにより、問題点を解決している。【特許請求の範囲】
【請求項１】
固形石鹸本体の表面を不織布、ポリエステルなどの素材からなる繊維で包み、当該を覆ったままの石鹸に水分を含ませて使用するところを特徴とする石鹸
【発明の詳細な説明】
【技術分野】
【０００１】  本発明は、固形石鹸本体の表面を泡立て用繊維で包み、当該を覆ったままの石鹸に水分を含ませて使用する石鹸に関するものである。
【背景技術】
【０００２】  固形石鹸を使用する場合、泡立てには別途の泡立て用ネットを用意していた。
【発明の開示】
【発明が解決しようとする課題】
【０００３】  泡立て用に別途の泡立て用ネットを使用したあと、水分を含んだ泡立て用ネットの保管場所が必要になり、水滴が滴るなどの不衛生が伴う。また、開封した固形石鹸は、水切りの付いたトレイに保管してもなお底面に水分が滞留し、溶解などの品質の劣化と不衛生が生じる。さらに、使用中には手から滑るなど操作に注意を要していた。そこで、固形石鹸の機能と泡立て用ネットの機能を一体化することにより泡立て用ネットと固形石鹸の清潔な保管と操作性の向上が可能になり前述の欠点を解決しようとするものである。
【課題を解決するための手段】
【０００４】  本発明は、固形石鹸の表面を泡立て用繊維で覆い包み、全体として一個の石鹸とすることにより、問題点を解決している。
【発明の効果】
【０００５】  上述の様に、本発明の泡立て用繊維一体型固形石鹸は、固形石鹸としての効用は損なうことなく、その表面を覆い包む泡立て用繊維で泡立てが容易となることは勿論、別途の泡立て用ネットが不要になることによって水滴が滴るなどの不衛生な保管を伴わなくなり、しかも開封後の石鹸を保管する際に石鹸底表面と床面との間に泡立て用繊維が配されることとなる結果、石鹸底表面と床面との間の通気空間が生じ、且つ泡立て用繊維が齎す毛細管現象が加わることによって使用後の水分を蒸散させ、石鹸の劣化と不衛生を抑制することが可能となり、また使用する際に石鹸を直接操作する場合の滑り易さが、表面の泡立て用繊維によって解消される。
【発明を実施するための最良の形態】
【０００６】  固形石鹸本体の表面全体を泡立て用繊維で覆い包み一体化させる。
【実施例】
【０００７】  固形石鹸本体の表面全体を泡立て用維で覆い包み一体化させる。
(57)【要約】【課題】今まで選択の余地無く使われていた石膏ボードだが、多くの問題点を抱えていた。【解決手段】本発明の新建材を使用する事により人や環境に優しく、作業期間の短縮、ひいては経費削減に貢献する。【選択図】図１
2005307685.tif 000002
【特許請求の範囲】
【請求項１】
板状の発砲硝子の外部に任意の建築素材を貼付け、建築内装材として使用できるようにした物。
【発明の詳細な説明】
【技術分野】
【０００１】
本発明は、家屋建築・ビル建築において現在使われている石膏ボードに代わる新しい加工しやすく、低コストの新建材である。
【背景技術】
【０００２】
現在建築内装材に使われている、いわゆる石膏ボードの欠点として重い、もろい、処分の手間、リサイクル性の悪さ等が挙げられる。
【発明の開示】
【発明が解決しようとする課題】
【０００３】
従来の石膏ボード等を使った建築内装材の欠点として、重く、コストがかかり、もろく、しかも処分の手間がかかり、リサイクル性が無い事があげられる。
【課題を解決するための手段】
【０００４】
この改善策として、軽く、硬く、リサイクル性の高い発砲硝子を建築内装材に使用する。
【発明の効果】
【０００５】
本発明の発砲硝子活用建築内装材は軽く、運搬性に富み、施工性に優れる所から作業の能率が良くなり、建築費の削減につながる。
【０００６】
本発明の発砲硝子活用建築内装材は軽く、耐久性に優れ、建築物に掛かる負担の減少や、建築の為の費用の低減が見込まれる。
【０００７】
本発明の発砲硝子活用建築内装材は硬く、構造強度の向上、耐震性能の向上につながる。
【０００８】
本発明の発砲硝子活用建築内装材は吸水性は有るが吸湿性は無く、水に溶けない性質の物なので石膏ボードのように湿気で歪むような事はなく、保存性に優れる。
【０００９】
本発明の発砲硝子活用建築内装材は軽く、現在多く使われている石膏ボードと同じ大きさに作れば、施工性の向上と、耐久性と保温性が得られる。
【実施例１】
【００１０】
図１は、本発明の実施例である。
【図面の簡単な説明】
【００１１】
【図１】建築内装材としての実施例を示した説明図である。（実施例１）
【符号の説明】
【００１２】
１  発砲硝子
２  紙
【図１】
2005307685.tif 000003
(57)【要約】【目的】回転扉の巻き込み事故を起こさないよう、また、軽微で済ませるようにすることが目的である。感応センサーを働かせて回転扉を停止させることは勿論であるが、回転扉が停止するまでの短い時間を対処しょうとするものである。【構成】建物の外側と内側に出入口が設けられた円筒状体の外壁部と、その軸位置を回転軸とし、円筒状体の外壁部の内側に接して回転する２枚乃至それ以上の回転扉を備えた回転扉において、進行方向の外壁奥寄りを垂直軸とし、その手前部分を外方に開閉可能とした回転扉の外側構造。【選択図】            図１
2005307669.tif 000002
【特許請求の範囲】
【請求項１】
建物の外側と内側に出入口が設けられた円筒状体の外壁部と、その軸位置を回転軸とし、円筒状体の外壁部の内側に接して回転する２枚乃至それ以上の回転扉を備えた回転扉において、進行方向の外壁奥寄りを垂直軸とし、その手前部分を外方に開閉可能とした回転扉の外側構造。
【発明の詳細な説明】
【技術分野】
【０００１】
本発明は、回転扉の改良に係り、回転扉の外側構造に関するものである。
【背景技術】
【０００２】
従来、回転扉は普通の扉、引き戸に比較して全く開放されることがないから、風が直接吹き込むことがなく、外気の影響が少ないという利点があるが、一方回転扉は扉の回転速度に合わせて進行しなければ、巻き込み事故に会い、老人や子供が大事故にあうことが多く、たびたび報道されている。
【０００３】
従って、対策として回転扉と外壁との接する部分それぞれに感知センサーを付け、巻き込まれた場合停止するよう種々の発明、考案がなされている。しかし、巻き込まれて、感知センサーが働いても直ぐに停止せず、回転扉の先端が２５ｃｍも移動して事故が起きたことも聞いている。
【特許文献１】特開平７−２５９４４６
【発明の開示】
【発明が解決しようとする課題】
【０００４】
本発明は、そのような回転扉の巻き込み事故を起こさないよう、また、軽微で済ませるようにすることが目的である。感圧センサーを働かせて回転扉を停止させることは勿論であるが、回転扉が停止するまでの短い時間を対処しょうとするものである。
【課題を解決するための手段】
【０００５】
本発明は、今まで全く固定されていた外側の固定壁を可動とし、回転扉の停止するまでの時間に、回転扉の回転する力と巻き込まれた物体の圧力により外側壁の部分が外へ開放されるようにするものである。
【０００６】
即ち、本発明は、建物の外側と内側に出入口が設けられた円筒状体の外壁部と、その軸位置を回転軸とし、円筒状体の外壁部の内側に接して回転する２枚乃至それ以上の回転扉を備えた回転扉において、進行方向の外壁奥寄りを垂直軸とし、その手前部分を外方に開閉可能とした回転扉の外側構造であります。
垂直軸を外壁奥寄りにとは、隔壁より手前の位置であり、また、開閉する外壁部先端を外側に湾曲させることにより圧力が外に働くようにする。
【発明の効果】
【０００７】
本発明は、今まで全く固定されていた外側の固定壁を可動とし、回転扉の停止するまでの時間に、回転扉の回転する力と巻き込まれた物体の圧力により外側壁の部分が外へ開放されるようになり、そのような回転扉の巻き込み事故を起こさないよう、また、ショックが少なくなり、軽微で済ませるようにすることができる効果がある。
【発明を実施するための最良の形態】
【０００８】
本発明の細部については、形状、大きさ等変更可能であるが、最良の形態を実施例で示す。
【実施例】
【０００９】
実施例について図面を参照して説明する。
図１において、建物の外壁の開口部に設けられた左右の隔壁１であり、建物の外側と内側に出入口２が設けられた円筒状体の左右の外壁部３と、その軸位置を回転軸４とし、円筒状体の外壁部３の内側に接して回転する２枚乃至それ以上の回転扉５を備えた回転扉において、進行方向の外壁部３の奥寄りを垂直軸６とし、その手前部分７を外方に開閉可能とした回転扉の外側構造である。
【００１０】
若し、巻き込みが起こり、回転扉５が停止直前であっても、外壁部３'  の手前部分７となり、強く圧迫されることはなく、従来の固定壁のようなショックはない。
【産業上の利用可能性】
【００１１】
本発明の外側壁構造を採用すれば、危険だからと現在停止されている回転扉を少しの費用で再開することができる。
【図面の簡単な説明】
【００１２】
【図１】は本発明の回転扉の斜視説明図である。
【符号の説明】
【００１３】
１    隔壁
２    出入口
３    外壁部
４    回転軸
５    回転扉
６    垂直軸
７    手前部分
８    感圧センサー
【図１】
2005307669.tif 000003
(57)【要約】【課題】仮想空間において効率的に物品、および情報の売買、交換を行うことの出来る方法と装置を提供する。（と共にそのシステム管理費用を徴収する方法）【解決手段】ＩＴネットワークで繋がれた端末を介して、複数の利用者がそれぞれ操作可能なグラフィック上のキャラクターを    操作することによって、同一の仮想空間に正しい縮尺で再現した実在の町を共有し、    利用者の操作するグラフィック上のキャラクターを通じて互いに物品の売買や情報の交換、    および視覚的に固定された店舗においての物品・情報の売買・交換を可能にする。【選択図】なし【特許請求の範囲】
【請求項１】
ＩＴネットワーで繋がれた端末を介して、複数の利用者がそれぞれ操作可能なグラフィック上のキャラクターを
操作することによって、複数の利用者が同時に同一の仮想空間に正しい縮尺で再現された実在の町を共有し、
利用者の操作するグラフィック上のキャラクターを通じて互いに物品の売買や情報の交換、
および視覚的に固定された店舗においての物品・情報の売買・交換を可能にする方法。
【請求項２】
請求項１に記載の仮想空間上の町における物品・情報の売買・交換の場となる土地・店舗・家屋を販売・貸借する。
【発明の詳細な説明】
【技術分野】
【０００１】
【０００２】  仮想空間において効率的に物品、および情報の売買、交換を行うことの出来る方法と装置を提供する。
（と共にそのシステム管理費用を徴収する方法）
【背景技術】
【０００３】  ＩＴネットワークで繋がれた端末を介して、複数の利用者がそれぞれ操作可能なグラフィック上のキャラクターを
操作することによって、同一の仮想空間に正しい縮尺で再現した実在の町を共有し、
利用者の操作するグラフィック上のキャラクターを通じて互いに物品の売買や情報の交換、
および視覚的に固定された店舗においての物品・情報の売買・交換を可能にする。
【発明が属する技術分野】
【０００５】  この発明はＩＴ技術を使った販売・貸借の方法と装置に関する。
【背景技術】
【０００６】  従来のＩＴ技術を使った販売方法は、上から下、もしくは左から右等の単純な文字の羅列方式、あるいは
写真を使った場合でもカタログ的な表示による商品の提示方法であった。
【発明の開示】
【発明が解決しようとする課題】
【０００７】  従来のＩＴ技術を使った販売方法には以下のような問題があった。
１）順に並べる表示方法では販売力・個性に差がつけられない。
２）買い物に必要な視覚的楽しさがない。
３）ブックマークしていなければ販売元のホームページを見失ってしまうことがある。
４）事前に正確なホームページアドレスを知らなければ目的のサイトにたどり着けない場合がある。
５）利用者同士がメールを待った上で連絡を取り合うため、即座のやり取りが不可能であり、
長い間相手の返事を待たされることがある。
６）自分のメールアドレスを知られたくない場合、質問が出来ない。
７）優良な販売者とそうでない者の区別がつかない。
８）ほかの利用者等の第三者から情報の収集が出来ない。
【課題を解決するための手段】
【０００８】  上記課題を解決するため、以下の方法を使う。（番号は上記に挙げた問題点に対応）
１）実在する空間・町を模して仮想空間を創作するため、モデルとした町の知名度・個性などが加味され、
かつ目に留まりやすい場所や視覚的に表現された店舗によって販売力の差別かをはかれる。
２）視覚効果によって、町歩きの楽しさが生じる。
３）一度訪ねたことのある仮想店舗ならば、ブックマークせずとも、道をたどって再び訪ねることが出来る。
４）ホームページアドレスを正しく知らなくても、仮想空間内の住所やある程度の範囲を絞れば目的の場所へ辿り着ける。
５）店舗側にキャラクターが存在していれば、利用者との即時のやり取りが可能である。
６）自分のメールアドレスを知られたくない個人の場合には、仮想空間上の家の住所に連絡を受けたり、
キャラクター同士の会話で代用できる。
７）悪意ある販売者の店舗であれば、その住所を差し止め、あるいは注意することが可能で、
ホームページのアドレスと異なり、新しい地所に移るのが難しいため悪質な業者を規制しやすい。
また、優良な店舗を装ったダミーの業者が発生しずらい。
８）同一空間内で商品情報を求めやすい。
【発明の効果】
【０００９】  本発明によればネット上の商取引が円滑に進めることが可能となる。
(57)【要約】【課題】    従来のインターネット上で商品の販売やサービス等を提供するなど、電子商取引を行った際に利用者に還元するポイントは、商品の販売やサービス等の提供金額でのみ、ポイント数を決定するものであったために、利用額、利用回数の大小に関わらず同じポイント還元率であった。【解決手段】そこで、本発明は電子商取引の際の利用金額、利用個数等複数のポイント決定要素、そしてその利用者の過去の実績である、利用金額、利用回数等複数のポイント決定要素に応じてポイント還元率を自動的に計算して、高利用者に対して高ポイント還元率を提供し、優良顧客には優位性を持たせる事ができるようにした。【選択図】    図１
2005322190.tif 000002
【特許請求の範囲】
【請求項１】
インターネット上で商品の販売やサービス等を提供するなど電子商取引を行った際に、利用者に還元するポイントを、その販売やサービス等の利用金額だけでポイントの還元数を決定するのではなく、販売やサービス等の利用金額、利用個数、そしてその利用者の過去の実績である、利用金額、利用回数、利用個数、等複数のポイント決定要素に応じて、還元するポイント率を変動させる、還元ポイント数自動変動型ポイント還元システム。
【発明の詳細な説明】
【技術分野】
【０００１】  本発明は、インターネット上で商品の販売やサービス等を提供するなど、電子商取引を行った際利用者に還元するポイントのポイント還元システムに関する。
【背景技術】
【０００２】  従来のインターネット上で商品の販売やサービス等を提供するなど、電子商取引を行った際利用者に還元するポイントは、商品の販売やサービス等の提供金額でのみ、ポイント数を決定するものであった。
【発明の開示】
【発明が解決しようとする課題】
【０００３】  しかし、従来のインターネット上で商品の販売やサービス等を提供するなど、電子商取引を行った際利用者に還元するポイントは、商品の販売やサービス等の提供金額でのみ、ポイント数を決定するものであったために、利用額、利用回数の大小に関わらず同じポイント還元率であった。【０００４】そのため、利用額が大きい、もしくは利用個数、利用回数が多い優良顧客であっても優位性は無かった。【０００５】そこで、本発明は電子商取引の際の利用金額、利用個数等複数のポイント決定要素、そしてその利用者の過去の実績である、利用金額、利用回数等複数のポイント決定要素に応じてポイント還元率を自動的に計算して、高利用者に対して高ポイント還元率を提供し、優良顧客には優位を持たせる事ができるようにすることを課題とする。
【課題を解決するための手段】
【０００６】  上記課題を解決するために、還元ポイント数自動変動型ポイント還元システムは、インターネット上で商品の販売やサービス等を提供するなど、電子商取引を行った際利用者に還元するポイントを、その販売やサービス等の利用金額だけでポイントの還元数を決定するのではなく、販売やサービス等の電子商取引の利用金額、利用個数等複数のポイント決定要素、そしてその利用者の過去の実績である、利用金額、利用回数等複数のポイント決定要素に応じて、還元するポイント数を変動しさせる事により、優良顧客には優位を持たせる事ができるようにした。
【発明の効果】
【０００７】  本発明の還元ポイント数自動変動型ポイント還元システムは、過去の利用実績が高い程、ポイント還元率が高くなるので、利用頻度が多くなり、リピート注文が増大する。【０００８】  また、購入単価が上がる程、ポイント還元率が高くなるので、客単価が高くなる。【０００９】  また、購入アイテム数が増える程、ポイント還元率が高くなるので、まとめ買いが増え、結果客単価が高くなる。【００１０】  また、上記の通り利用すれば利用する程ポイント還元率が高くなる事により、高利用者は、高ポイント還元率を得る事ができ高利用者独自の優位性を得る事ができる。
【発明を実施するための最良の形態】
【００１１】ｗｅｂサーバーと顧客毎の過去の利用データベースを連動させ、インターネット上で商品の販売やサービス等を提供するなど、電子商取引が行われる度に、ｗｅｂ上でポイント還元率を計算し、利用者にポイントを還元する。【００１２】インターネット上で商品の販売やサービス等を提供するなど、電子商取引が利用されれば利用される程ポイント還元率が高くなる様に、ポイント還元率を決定する掛け率を設定する。
【図面の簡単な説明】
【００１３】
【図１】還元ポイント数自動変動型ポイント還元システムの概念図
【符号の説明】
【００１４】  １・・・・・・・・電子商取引利用者
２・・・・・・・・インターネット環境を利用して電子商取引を利用
３・・・・・・・・インターネット環境を利用して、還元ポイント数自動変動型ポイント還元システムによって決定されたポイントを顧客に還元する。
４・・・・・・・・ｗｅｂサーバーとデータベース
５・・・・・・・・還元ポイント数自動変動の計算式
６・・・・・・・・販売商品やサービス等のデーターベース
７・・・・・・・・顧客毎の購入履歴データーベース
８・・・・・・・・顧客情報のデーターベース
９・・・・・・・・ポイント還元掛け率のデーターベース
【図１】
2005322190.tif 000003
(57)【要約】【課題】著作権を完全に保護した状態で音楽、映像データーを販売、提供、管理するサービス【解決手段】従来の様に、ユーザーへ音楽、映像をデーターで販売、提供するのではなく、本サービスにおいては、まず音楽、映像管理サーバーより、音楽、映像を再生する権利を販売、提供する。ユーザーは所有する▲２▼の記憶媒体（メモリー）に購入した権利を記録、保存する事が出来る。再生を行う際は▲３▼等のサービス対応の再生機等より、インターネット他のネットワークを介して、音楽配信サービスへアクセスした後再生権利を使い再生を申し込む。本サービスは、何時でも何処からでも、ユーザーから再生の申し込みがあれば、再生権利管理サーバーにおいて許可された場合のみ、許可されている間中、どの再生機へでも音楽、映像データーを送信する。また、再生権利の貸渡、譲渡、転売は図３の様に本サービスにアクセスする事によりのみ、許可する事で、著作権を保護する。【選択図】図１
2005322183.tif 000002
【特許請求の範囲】
【請求項１】
特に著作権で保護されている音楽や映像をメディアに（ＣＤ、ＤＶＤ、テープ等に）記録、（または記憶）された状態や、インターネット等を経由して配信された（またはされる）物を購入するのではなく、音楽や映像を再生する権利を購入し所有、保管、再生でき、購入した権利を第三者へ譲渡、貸渡、転売することができるサービス、技術。
【発明の詳細な説明】
【技術分野】
【０００１】  本発明は、音楽、映像データーをメディアでの販売やダウンロード販売するのではなく、映像再生権利を販売、提供、管理する発明である。
【発明の開示】
【発明が解決しようとする課題】
【０００２】  著作権を完全に保護した状態で音楽、映像データーを販売する事は課題が多く、販売側、ユーザー側の権利を同時に満たした状態での販売は難しい。【０００３】  本発明は音楽、映像データーをデーターで販売、購入するのではなく、データーの再生権利を販売、管理する事で、ユーザー同士の貸し借りや、転売が容易にできる様になる。また棄損、汚損等により再生が出来なくなった時の為のバックアップの必要性をなくす事とができ、且つユーザーが何時でも何処でも所有する音楽、映像データーを自由に再生できる事を目的とするものである。
【課題を解決するための手段】
【０００４】  ユーザーは再生権を購入し、所有する記憶媒体に記録していく事で権利を所有していく。再生する場合、サービス対応の再生機に再生を申し込む、再生機は再生権利をサービスに照会する事で音楽、映像データーの配信を許可を受け、データーを受信した後、再生する。【０００５】  ユーザーは所有する権利をサービスに申し込む事で、第三者に貸渡、譲渡、売却する事ができる。
【発明の効果】
【０００６】  著作権の保護だけでなく、省エネルギーやコスト削減も可能であり、安価に音楽、映像を提供する事ができる。また、再生期限を設ける事を容易かつ確実に管理できる。【０００７】  ユーザーにとっては、音楽、映像をデーターとして所有しない為、汚損、棄損、劣化、盗難に備え、バックアップを取る必要がなくなる。、再生権利だけの所有なので、保存スペースの必要がなくなる。また、気軽に持ち歩く事ができる為サービス対応機さえあれば何時でも何処でも音楽、映像を楽しむ事ができる様になる。
【発明を実施するための最良の形態】
【０００８】以下本発明の実施の形態を図１、図２、図３に基づいて説明する。【０００９】（手法１）音楽、映像再生権利の購入方法“図１”
ユーザーは音楽、映像の音楽映像配信サービスにアクセスして、▲１▼の再生権利管理、配信サーバーに、購入したい音楽、映像再生権利の購入を申し込む。配信サーバーは販売を許可する場合、ユーザーの所有する▲２▼の記憶媒体（メモリー）に映像再生権利を配信する。購入した再生権利は順次記憶媒体（メモリー）に記録されていく。この際、権利の有効期限等を設ける事で、転売やレンタル、試聴の許可等幅広く、詳細に管理する事が出来る。【００１０】（手法２）音楽、映像の再生方法
音楽、映像を再生する場合（“図１”の様に、ユーザーが所有する再生権利の中からＡを再生する場合）。イ）の通り、▲３▼等のサービス対応の音楽、映像再生機に再生を申し込む。▲３▼のサービス対応再生機はロ）の通り、音楽、映像配信サービスに再生を申し込む。音楽、映像配信サービスは、再生権利を確認できた場合、ハ）の通り再生機▲３▼へ再生を許可する＝音楽、映像配信サーバーより音楽、映像データーを送信する。再生機▲３▼は送信されたデーターをニ）の通り再生する。▲２▼の記憶媒体（メモリー）と▲３▼のサービス対応再生機の間、▲３▼と音楽、映像配信サービスの間において、再生権利が確認されている限り再生は続き、繰り返すことが出来る。【００１１】（手法３）音楽、映像再生権利の貸渡し、譲渡、転売方法
音楽、映像再生権利の貸渡、譲渡、転売する場合、“図２”の様に、甲が所有する記憶媒体中の再生権利Ａを乙に渡す場合、甲は音楽、映像配信サービスに転送を申し込む。再生管理、配信サーバーが有効性を確認した後、甲の所有する再生権利Ａを消去して、乙の所有する記憶媒体（メモリー）へ権利を配信する事で、権利を移動できる。この際、甲は自らが所有していない権利であっても、新たに購入する事で乙に再生権利を渡す事が可能である。
【図面の簡単な説明】
【００１２】〔図１〕音楽、映像再生権利の講入方法について説明した図面、
〔図２〕音楽、映像の再生権利を利用した再生方法について説明した図面
〔図３〕音楽映像の再生権利の貸渡、譲渡、転売の方法について説明した図面
【図１】
2005322183.tif 000003
【図２】
2005322183.tif 000004
【図３】
2005322183.tif 000005
(57)【要約】      （修正有）【課題】  商品、サービスの発注を簡単かつ容易に行えるコンピューターソフトウエアを提供する。【解決手段】  ソフトウェアが導入されたコンピューター画面上に、商品、サービスのイメージ写真、画像、説明文を映し出し、顧客は求める商品、サービスを一度選択するだけでよい。顧客の選択方法は、パネルコンピューターにソフトウェアが導入されている場合は、求める商品、サービスを示すイメージ写真、画像、説明文をタッチするだけでよく、通常のコンピューター、携帯電話、モバイル機器等にソフトウェアが導入されている場合は、求める商品、サービスを示すイメージ写真、画像、説明文をクリックするだけでよい。この方法により、発注側は、商品、サービスを確実に、労力や時間をかけずに注文することができ、選択した商品、サービスを迅速に受け取ることができ、商品、サービスの提供をする側は、顧客に、商品、サービスを迅速に提供することができる。【選択図】図１
2005322184.tif 000002
【特許請求の範囲】
【請求項１】
顧客が求める商品、サービスを、商品、サービスの提供者に、コンピューターの画面上で、商品、サービスを示したイメージ写真、画像、説明文を、簡単な一回の選択操作によって、発注することを特徴とするコンピューターソフトウェア。
【請求項２】
前記コンピューターソフトウェアは、導入時に顧客基本情報を初期設定で組み込むため、商品、サービスを注文する際、求める商品、サービスを示したイメージ写真、画像、説明文を、コンピューターの画面上で、一度の選択行為のみで発注ができ、実際に求める商品、サービスを受け取ることができることを特徴とする請求項１記載のコンピューターソフトウェア。
【請求項３】
前記コンピューターソフトウェアは、顧客が求める商品、サービスを示したイメージ写真、画像、説明文を、コンピューター画面上にて選択すると、ソフトウェアを介して、商品、サービスを提供する側に、顧客情報と発注情報が送信伝達されるので、一度の選択行為のみで商品、サービスを受け取ることができることを特徴とする請求項１あるいは２に記載のコンピューターソフトウェア。
【発明の詳細な説明】
【技術分野】
【０００１】  この発明は、コンピューター画面上での商品とサービスの発注、受注に関する。
【背景技術】
【０００２】  従来のインターネット、コンピューター画面上での、商品、サービスの発注方法は、図２に示すように、商品、サービスの選択、顧客個人情報の入力、選択情報と顧客個人情報を、商品、サービスを提供する側への送信と、３段階によるものである。
【発明の開示】
【発明が解決しようとする課題】
【０００３】  しかしながら、以上の技術によれば、顧客が、商品、サービスを受け取るまでに、労力、時間がかかるだけでなく、高齢者や障害者、幼児の利用が、極めて困難であり、顧客個人情報のミス入力によって、発注側、受注側共に、混乱や損害が生じることが多かった。そこで、この発明は、顧客による簡単な一回の商品、サービスの選択操作で、迅速に、正確に商品、サービスを提供することを課題とする。
【課題を解決するための手段】
【０００４】  以上の課題を解決するために、第一発明は、顧客個人情報を、ソフトウェア導入時に、初期設定することを特徴とするソフトウェアである。  また、第二発明は、顧客が商品、サービスの提供を受けるまでに至る入力操作を、３段階から１回の操作に簡易化させることを特徴とするソフトウェアである。
【発明の効果】
【０００５】  第一発明、または第二発明によれば、顧客が、ソフトウェアの導入によって、コンピューターの画面上で、商品、サービスの発注を、簡単に、迅速におこなうことができる。
【発明を実施するための最良の形態】
【０００６】  この発明の一実施形態を、図１に示す。ソフトウェアの導入されたコンピューター画面１は、商品、サービスの映し出された画面であり、また、顧客個人情報が、初期設定によって組みこまれており、顧客が、商品、サービスを選択すると、顧客情報と、選択情報が、２の商品、サービスを提供する側、または情報伝達の仲介をする３の担当部署に送信伝達される。３の情報伝達の仲介をする担当部署は、ソフトウェアの導入された画面１の顧客の操作によって情報を受け取ると、顧客の商品、サービスの選択情報と顧客個人情報を、２の商品サービスを提供する側に送信伝達する。【０００７】  「実施形態の効果」  この実施形態によれば、顧客は、求める商品、サービスを１のソフトウェアの導入されたコンピューター画面上で、簡単に、迅速におこなうことができる。【０００８】  「他の実施形態」  図１の実施形態では、商品、サービスの発注、受注であったが、他の実施形態では、２，３を介さず、コミュニケーションの手段として用いるものでも良い。
【図面の簡単な説明】
【０００９】
【図１】この発明の一実施形態を示す図である。
【図２】従来技術を示す図である。
【符号の説明】
【００１０】１  ソフトウェアが導入されたコンピューター画面
２  商品、サービスの提供者
３  顧客個人情報と商品、サービス選択情報の伝達を仲介する担当部署
【図１】
2005322184.tif 000003
【図２】
2005322184.tif 000004